(57)【特許請求の範囲】
【請求項１】
ワイヤレスデバイスから、サブバンドチャネル品質インジケータ報告および広帯域チャネル品質インジケータ報告を周期的に受信する受信工程と；
受信した前記サブバンドチャネル品質インジケータ報告についてのサブフレーム報告周期を記録する工程と；
前記サブバンドチャネル品質インジケータ報告および前記広帯域チャネル品質インジケータ報告のうちのいずれが、最新のダウンリンク伝送をスケジュールするために所定のパフォーマンスを提供するかを、動的に判定する判定工程と
を有し、
前記判定工程は、記録された前記サブフレーム報告周期と最新のサブフレーム報告周期との間の経過時間に基づき、前記サブバンドチャネル品質インジケータ報告の最新の期限を求める工程と；
対応する報告が有効であるか否か判定するために、前記最新の期限を閾値期限と比較する工程と；
前記最新の期限が前記閾値期限を超えないという判定に応答して、（ａ）最新の報告サブフレームからのサブバンドチャネル品質インジケータ値、ならびに（ｂ）以前のチャネル品質インジケータ値および広帯域チャネル品質インジケータ値に基づいた計算されたサブバンドチャネル品質インジケータ値、のうちの１つを使用することによって、ダウンリンク伝送をスケジュールする工程と；
前記最新の期限が前記閾値期限を超えるという判定に応答して、前記広帯域チャネル品質インジケータ報告を利用して最新のダウンリンク伝送をスケジュールするスケジュール工程と
を有する方法。
【請求項２】
前記方法はさらに、特定のサブバンドチャネル品質インジケータ値と第１の係数との第１の積である第１の項、および最後に報告された広帯域チャネル品質インジケータ値と第２の係数との第２の積である第２の項を有する無限インパルス応答フィルタによるフィルタベースの補正を行う工程を有し、
前記特定のサブバンドチャネル品質インジケータ値は、（ａ）期限切れ前かつ以前に報告されたサブバンドチャネル品質インジケータ値、および（ｂ）前記フィルタベースの補正を利用して計算された計算サブバンドチャネル品質インジケータ値、のうちの１つである、
請求項１記載の方法。
【請求項３】
前記スケジュール工程はさらに、
前記サブバンドチャネル品質インジケータ報告が最新のチャネル品質インジケータ報告サブフレームの間に報告されたか否か判定する工程と；
前記サブバンドチャネル品質インジケータ値が前記最新のチャネル品質インジケータ報告サブフレームの間に報告されたという判定に応答して、前記サブバンドチャネル品質インジケータ値を利用することによって最新のダウンリンク伝送のスケジューリングを行う工程と
を有する、
請求項１記載の方法。
【請求項４】
前記方法はさらに、前記サブバンドチャネル品質インジケータ値が前記最新のチャネル品質インジケータ報告サブフレームの間に報告されていないという判定に応答して、
フィルタベースの補正を介して、以前のチャネル品質インジケータ値および広帯域チャネル品質インジケータ値に基づいたサブバンドチャネル品質インジケータ値を計算する工程と；
計算されたサブバンドチャネル品質インジケータ値を利用して最新のダウンリンク伝送をスケジュールする工程と
を有する、
請求項３記載の方法。
【請求項５】
前記受信工程はさらに、
前記ワイヤレスデバイスが、
サブバンド報告を提供するための指定された報告周期における、対応する帯域幅部分内のサブバンドのための所定のサブバンドチャネル品質インジケータ値、および
広帯域報告を提供するための指定された報告周期における、ダウンリンク伝送帯域幅のための広帯域チャネル品質インジケータ値
を報告するのを可能にする、前記ワイヤレスデバイスを構成するように、情報信号を転送する工程と；
所定のサブバンドチャネル品質インジケータ値を含む前記サブバンドチャネル品質インジケータ報告を、第１の報告周期の間に受信する工程と；
広帯域チャネル品質インジケータ値を含む前記広帯域チャネル品質インジケータ報告を、第２の報告周期の間に取得する工程と
を有する、
請求項１記載の方法。
【請求項６】
前記方法はさらに、
前記ワイヤレスデバイスによって達成される平均スループットを求める工程と；
サブバンドチャネル品質インジケータ値と前記ワイヤレスデバイスの前記平均スループットとの比からチャネル品質インジケータベースのメトリックを取得する取得工程と；
前記チャネル品質インジケータベースのメトリックに基づき、前記ワイヤレスデバイスと選択された物理リソースブロックとの所定のペアの割当を特定する特定工程と；
前記所定のペアの割当に基づき、１または複数の対応する物理リソースブロックを、特定されたワイヤレスデバイスに割当てる割当工程と
を有する、
請求項１記載の方法。
【請求項７】
ワイヤレス通信システムは、複数のワイヤレスデバイスを備え、
前記割当工程は、制御チャネル機能の実行を可能にするのに利用可能である要求されたサブバンドリソースに応答して行われ、
前記割当工程は、（ａ）前記物理リソースブロックがすべて割当てられることと、（ｂ）すべての前記ワイヤレスデバイスが適切に物理リソースブロックを割当てられることとのうちから、１または複数の条件が発生するまで継続する、
請求項６記載の方法。
【請求項８】
基地局であって、
プロセッサと；
スケジュールがその中に記憶されているメモリと；
ユーティリティと
を備え、
前記ユーティリティは、前記プロセッサによって実行されるときに、
ワイヤレスデバイスから、サブバンドチャネル品質インジケータ報告および広帯域チャネル品質インジケータ報告を周期的に受信する受信機能と；
受信した前記サブバンドチャネル品質インジケータ報告についてのサブフレーム報告周期を記録する記録機能と；
前記サブバンドチャネル品質インジケータ報告および前記広帯域チャネル品質インジケータ報告のうちのいずれが、最新のダウンリンク伝送をスケジュールするために所定のパフォーマンスを提供するかを、動的に判定する判定機能と
を実行し、
前記判定機能はさらに、
記録された前記サブフレーム報告周期と最新のサブフレーム報告周期との間の経過時間に基づき、前記サブバンドチャネル品質インジケータ報告の最新の期限を求めることと；
対応する報告が有効であるか否か判定するために、前記最新の期限を閾値期限と比較することと；
前記最新の期限が前記閾値期限を超えないという判定に応答して、（ａ）最新の報告サブフレームからのサブバンドチャネル品質インジケータ値、ならびに（ｂ）以前のチャネル品質インジケータ値および広帯域チャネル品質インジケータ値に基づいた計算されたサブバンドチャネル品質インジケータ値、のうちの１つを使用することによって、ダウンリンク伝送をスケジュールすることと；
前記最新の期限が前記閾値期限を超えるという判定に応答して、前記広帯域チャネル品質インジケータ報告を利用して最新のダウンリンク伝送をスケジュールすること
を有する、基地局。
【請求項９】
前記ユーティリティはさらに、特定のサブバンドチャネル品質インジケータ値と第１の係数との第１の積である第１の項、および最後に報告された広帯域チャネル品質インジケータ値と第２の係数との第２の積である第２の項を有する無限インパルス応答フィルタによるフィルタベースの補正を行う機能を実行し、
前記特定のサブバンドチャネル品質インジケータ値は、（ａ）期限切れ前かつ以前に報告されたサブバンドチャネル品質インジケータ値、および（ｂ）前記フィルタベースの補正を利用して計算された計算サブバンドチャネル品質インジケータ値、のうちの１つである、
請求項８記載の基地局。
【請求項１０】
前記最新のダウンリンク伝送をスケジュールすることはさらに、
前記サブバンドチャネル品質インジケータ報告が最新のチャネル品質インジケータ報告サブフレームの間に報告されたか否か判定することと；
前記サブバンドチャネル品質インジケータ値が前記最新のチャネル品質インジケータ報告サブフレームの間に報告されたという判定に応答して、前記サブバンドチャネル品質インジケータ値を利用することによって最新のダウンリンク伝送のスケジューリングを行うことと
を有する、
請求項８の基地局。
【請求項１１】
前記スケジュール機能はさらに、
前記サブバンドチャネル品質インジケータ値が前記最新のチャネル品質インジケータ報
告サブフレームの間に報告されていないという判定に応答して、
フィルタベースの補正を介して、以前のチャネル品質インジケータ値および広帯域チャネル品質インジケータ値に基づいたサブバンドチャネル品質インジケータ値を計算することと；
計算されたサブバンドチャネル品質インジケータ値を利用して最新のダウンリンク伝送をスケジュールすることとを有する、
請求項１０の基地局。
【請求項１２】
前記受信機能はさらに、
前記ワイヤレスデバイスが、
サブバンド報告を提供するための指定された報告周期における、対応する帯域幅部分内のサブバンドのための所定のサブバンドチャネル品質インジケータ値、および
広帯域報告を提供するための指定された報告周期における、ダウンリンク伝送帯域幅のための広帯域チャネル品質インジケータ値
を報告するのを可能にする、前記ワイヤレスデバイスを構成するように、情報信号を転送することと；
所定のサブバンドチャネル品質インジケータ値を含む前記サブバンドチャネル品質インジケータ報告を、第１の報告周期の間に受信することと；
広帯域チャネル品質インジケータ値を含む前記広帯域チャネル品質インジケータ報告を、第２の報告周期の間に取得することと
を有する、
請求項８記載の基地局。
【請求項１３】
前記基地局はさらに、
前記ワイヤレスデバイスによって達成される平均スループットを求めることと；
サブバンドチャネル品質インジケータ値と前記ワイヤレスデバイスの前記平均スループットとの比からチャネル品質インジケータベースのメトリックを取得することと；
前記チャネル品質インジケータベースのメトリックに基づき、前記ワイヤレスデバイスと選択された物理リソースブロックとの所定のペアの割当を特定することと；
前記所定のペアの割当に基づき、１または複数の対応する物理リソースブロックを、特定されたワイヤレスデバイスに割当てることと
を有する、
請求項８記載の基地局。
【請求項１４】
ワイヤレス通信システムは、複数のワイヤレスデバイスを備え、
前記割当てることは、制御チャネル機能の実行を可能にするのに利用可能である要求されたサブバンドリソースに応答して行われ、
前記割当てることは、（ａ）前記物理リソースブロックがすべて割当てられることと、（ｂ）すべての前記ワイヤレスデバイスが適切に物理リソースブロックを割当てられることとのうちから、１または複数の条件が発生するまで継続する、
請求項１３記載の基地局。
【発明の詳細な説明】
【技術分野】
【０００１】
本発明は、一般に、ワイヤレス通信システムに関し、より詳細には、ワイヤレス通信システムにおける伝送スケジューリングに関する。
【背景技術】
【０００２】
パケットスケジューリングを利用するワイヤレス通信システムでは、無線インターフェースリソースの１部が、異なる移動局（ＭＳ）に動的に割当てられる。直交周波数分割多重接続（ＯＦＤＭＡ）システムでは、複数のサブキャリア（サブバンド）からなるこれらの動的に割当てられたリソースが、複数の移動局間で動的に共有される。ロングタームエボリューション（ＬＴＥ）標準に従って、ユーザ装置（ＵＥ）は、ダウンリンク伝送に使用するための適切な変調符号化方式（ＭＣＳ）の選択において発展型ノードＢ（ｅＮｏｄｅＢ）を支援するために、チャネル品質インジケータ（ＣＱＩ）を報告するように構成される。ＣＱＩ情報は、ユーザ装置から基地局へと報告され、それにより、基地局は、ダウンリンク共有データチャネルにおいて、チャネル品質インジケータを考慮した無線リソースの適切なスケジューリングを行うことができる。ＣＱＩ報告は、通常、ダウンリンク基準信号の測定に基づき、ダウンリンクの受信信号品質から得られる。ＬＴＥでは、発展型ノードＢ（ｅＮｏｄｅＢ）に向かうアップリンク伝送を介して制御情報を搬送する物理アップリンク制御チャネル（ＰＵＣＣＨ）が、ＣＱＩ情報を報告するために使用される。
【０００３】
ＬＴＥのための最新の周波数選択スケジューリング（ＦＳＳ）技術では、ユーザ装置−物理リソースブロック（ＵＥ−ＰＲＢ）の組合せの決定において、サブバンドＣＱＩ報告が周波数選択スケジューリングによって使用されている。しかしながら、使用される報告メカニズムが理由で、各サブバンドは、それぞれの報告サブフレームではサブバンドＣＱＩ値を報告しない。さらに、１または複数のサブバンドについてのサブバンドＣＱＩ値は、いくつかの連続した報告サブフレームでは報告されないことがある。
【先行技術文献】
【特許文献】
【０００４】
【特許文献１】米国特許出願公開第２００８／０４５２７２号明細書
【発明の概要】
【発明が解決しようとする課題】
【０００５】
結果として、古くなった／「時間の経った」サブバンドＣＱＩ値／報告によるサブバンドＣＱＩの不正確さにより、低品質なスケジューラパフォーマンスが生じることがある。
例示的な実施形態は、通信リソースのスケジューリングにおいて、サブバンドの信号対雑音比（ＳＮＲ）補正を実現するための、方法、システム、および基地局を提供する。基地局において実行されるスケジューリング補正（ＳＣ）ユーティリティは、１または複数のワイヤレスデバイスから、周期的なサブバンドおよび広帯域のチャネル品質インジケータ（ＣＱＩ）報告を受信する。ＳＣユーティリティは、それぞれのサブバンドＣＱＩ報告についてのサブフレーム報告周期を記録する。ＳＣユーティリティは、サブバンド報告の期限を計算して、サブバンドＣＱＩ報告がまだ有効であるか否か（すなわち、報告期限が閾値期限を超えるかどうか）判定する。サブバンド報告が無効である場合、ＳＣユーティリティは、（最新の）伝送スケジューリングのために、広帯域ＣＱＩ報告を利用する。しかしながら、サブバンドＣＱＩ報告が有効である場合、ＳＣユーティリティは、（ａ）最新の報告サブフレームから、伝送スケジューリングのためにサブバンドＣＱＩ報告を利用し、または、（ｂ）サブバンドＣＱＩ報告が最新の報告サブフレームで受信されなかった場合は、広帯域ＣＱＩ報告を利用した補正による修正サブバンドＣＱＩ値を利用する。
【課題を解決するための手段】
【０００６】
以下の例示的な実施形態の詳細な説明は、添付の図面と併せて読まれることになる。
【図面の簡単な説明】
【０００７】
【図１】１実施形態による、基地局（ＢＳ）／ｅＮｏｄｅＢのブロック図表示を含む、ロングタームエボリューション（ＬＴＥ）構成のワイヤレス通信システムを示す図。
【図２】１実施形態による、ユーザ装置（ＵＥ）と、発展型ユニバーサル地上無線アクセスネットワークノードＢ（ｅＮｏｄｅＢ）との通信のための通信アーキテクチャのブロック図表示。
【図３Ａ】１実施形態による、単一の無線フレームの構造を示す図。
【図３Ｂ】１実施形態による、ロングタームエボリューション（ＬＴＥ）のための物理層リソース構造を示す図。
【図４】１実施形態による、物理アップリンク制御チャネル（ＰＵＣＣＨ）サブバンド報告を示すテーブル。
【図５】１実施形態による、サブバンドの信号対雑音比（ＳＮＲ）修正の効果を比較して実証する３つのプロット。
【図６】１実施形態による、周波数選択スケジューラにおいて特定のチャネル品質インジケータ（ＣＱＩ）報告を選択し、無限インパルス応答（ＩＩＲ）フィルタベースの補正をサブバンド値に適用する工程を示す流れ図。
【発明を実施するための形態】
【０００８】
以下の本発明の例示的な実施形態の詳細な説明では、本発明を実施することができる特定の例示的な実施形態が、当業者が本発明を実施できるように十分詳細に説明されており、他の実施形態が利用されてもよいこと、かつ、論理的な、アーキテクチャ上の、プログラム上の、機械的な、電気的な変更、および他の変更が、本発明の趣旨または範囲から逸脱せずになされてもよいことが理解されるべきである。したがって、以下の詳細な説明は、限定する意味に解釈されるべきでなく、本発明の範囲は、添付の特許請求の範囲によってのみ定義される。
【０００９】
図面の説明の中では、同様の要素に、それまでの図面のものと同様の名前および参照番号が与えられる。要素に割当てられた特定の番号は、単に説明を助けるために与えられており、本発明の（構造的または機能的な）いかなる限定をも含意することを意図しない。
【００１０】
特定のコンポーネント、デバイスおよび／またはパラメータ名の使用は、例示のためのみであり、本発明のいかなる限定をも含意することを意図しないことを理解されたい。したがって、本発明は、本明細書におけるコンポーネント／デバイス／パラメータを説明するのに利用される異なる学術語／専門用語を用いて、限定せずに実装されてもよい。本明細書において利用される各用語には、その用語が利用されるコンテキストを前提として、その最も広い解釈が与えられるべきである。
【００１１】
次に図１を参照すると、１実施形態による、ロングタームエボリューション（ＬＴＥ）構成のワイヤレス通信システムが図示されている。説明される実施形態において、ワイヤレス通信システム１００は、ロングタームエボリューション（ＬＴＥ）標準を含む第３世代（３Ｇ）および第４世代（４Ｇ）ネットワークなどの、いくつかの標準／ネットワークをサポートすることができる。
【００１２】
ワイヤレス通信システム１００は、たとえば、いくつか（「Ｌ個」）のワイヤレス通信デバイス、たとえば、第１および第２のワイヤレスデバイスである、移動局（ＭＳ）／ユーザ装置（ＵＥ）１０２、および移動局／ユーザ装置１０４を含む。ワイヤレス通信デバイスのうちの１または複数は、移動ユーザ／サブスクライバに関連付けられていてもよい。したがって特定の例では、ワイヤレス通信デバイスは、本明細書において、デバイスとデバイスユーザとの関係に一般的に言及するものとして、ユーザデバイス、ユーザ装置（ＵＥ）、移動ユーザデバイス、移動局（ＭＳ）、サブスクライバ、またはユーザと、区別なく呼ばれてもよい。しかしながら、これらの言及は、個人／人間のユーザに直接関係付けられないデバイスへの本発明の適用範囲を限定する意図はない。以下の説明の中では、例示的なワイヤレスデバイスは、主に移動局／ユーザ装置１０２、または単にＵＥ１０２と呼ばれる。
【００１３】
ワイヤレス通信システム１００は、ブロック図表示においてそのさまざまな機能コンポーネントと共に図示される、少なくとも１つの基地局（ＢＳ）／発展型ユニバーサル地上無線アクセスネットワークノードＢ（ｅＮｏｄｅＢ／ｅＮＢ）１０６を含む。１実施形態において、ＢＳ／ｅＮｏｄｅＢ１０６は、基地トランシーバ局（ＢＴＳ）、拡張型／発展型ノードＢ（ｅｎｏｄｅＢ）、または基地局を表すことができる。ＢＳ／ｅｎｏｄｅＢ１０６は、コントローラ１０８を含む。コントローラ１０８は、メモリ１１４と、デジタル信号プロセッサ（ＤＳＰ）／プロセッサ１１０と、ＲＦトランシーバ１１２とを含む。ＲＦトランシーバ１１２の論理はコントローラ１０８内に図示されているものの、他の実装では、ＲＦトランシーバ１１２がコントローラ１０８の外部に位置する可能性があることを理解されたい。またＤＳＰ／プロセッサ１１０は、単一のモジュール／デバイスとして示されているが、これは１つ、または通信可能に互いに結合された複数の個別のコンポーネントであってもよく、コントローラ１０８内において異なる機能を制御していてもよい。ワイヤレス通信デバイスはすべて、１または複数のアンテナ要素を含むアンテナアレイを介して、ＢＳ／ｅＮｏｄｅＢ１０６に接続しており、そのうちのＢＳアンテナアレイ１１６（すなわち、アンテナ１１６ａおよびアンテナ１１６ｂを含む）が図示されている。
【００１４】
ワイヤレス通信システム１００は、第２のＢＳ／ｅＮｏｄｅＢ１５０と共にさらに図示されている。ＢＳ／ｅＮｏｄｅＢ１０６と、第２のＢＳ／ｅＮｏｄｅＢ１５０とは、Ｘ２インターフェース（たとえば、Ｘ２  １５２）によって相互接続されている。さらに、ＢＳ／ｅＮｏｄｅＢ１０６と、第２のＢＳ／ｅＮｏｄｅ１５０とは、Ｓ１インターフェース（たとえば、Ｓ１  １５４）によって、発展型パケットコア（ＥＰＣ）に、より具体的には移動管理エンティティ（ＭＭＥ）／サービングゲートウェイ（Ｓ−ＧＷ）１６０に接続されている。
【００１５】
上で説明した、ワイヤレスシステム１００内のＢＳ／ｅＮｏｄｅＢ１０６のハードウェアコンポーネントに加えて、本発明のさまざまな特徴は、メモリ１１４内にまたは他のストレージ内に記憶された、ソフトウェア（またはファームウェア）コードもしくは論理によって完成／サポートされ、ＤＳＰ／プロセッサ１１０によって実行されてもよい。したがってたとえば、図示されたメモリ１１４内には、いくつかのソフトウェア／ファームウェア／論理／データのコンポーネントまたはモジュールがあり、それらは、トランスミッションコントロールプロトコル（ＴＣＰ）／インターネットプロトコル（ＩＰ）モジュール１４２、およびメディアアクセスコントロール（ＭＡＣ）プロトコルモジュール１４４を有するオペレーティングシステム（ＯＳ）１４０を含む。メモリ１１４はまた、スケジューラ１２４と、広帯域ＣＱＩ報告／値１２６と、サブバンドＣＱＩ報告／値１２８と、修正サブバンドＣＱＩ値１３０とを含む。またメモリ１１４内には、無限インパルス応答（ＩＩＲ）フィルタ（係数／パラメータ）１３２と、サブバンドＣＱＩ報告／ファイルの時間／期限１３４と、ＣＱＩ閾値期限値１３６とが含まれる。加えてメモリ１１４は、スケジューリング補正（ＳＣ）論理／ユーティリティ１２０を含む。実際の実装では、ＳＣユーティリティ１２０は、スケジューラ１２４に組合され、またはスケジューラ１２４の中に組込まれ、ならびに他のコンポーネント／モジュールの１または複数と組合わされて、対応する組合されたコンポーネントがＢＳ／ｅＮｏｄｅＢ１０６の処理コンポーネントによって実行されるとき、それぞれ個々のコンポーネントのさまざまな機能を一括して提供しながら、単一の実行可能なコンポーネントを提供することができる。わかりやすさのために、ＳＣユーティリティ１２０は、以下で説明するような特定の機能を提供するスタンドアローンまたは別個のソフトウェア／ファームウェアコンポーネントとして図示され、説明される。説明される実施形態では、ＳＣユーティリティ１２０は、通信アーキテクチャ／システム１００内にあるコンポーネント、具体的には、ユーザ装置１０２および／またはｅＮｏｄｅＢ１０６によって実行される特定の機能を提供する。ＳＣ論理／ユーティリティ１２０に関連付けられた機能性のさらなる詳細は、図２、およびそれに続く図面を参照して以下に提示される。
【００１６】
ワイヤレス通信の間、移動局／ユーザ装置１０２および移動局／ユーザ装置１０４は、アンテナアレイを介して、ＢＳ／ｅＮｏｄｅＢ１０６にワイヤレス通信する。１つのワイヤレスデバイス、たとえば移動局／ユーザ装置１０２が、別の電子デバイス（たとえば、移動局／ユーザ装置１０４）からデータを受信すると、ＢＳ／ｅＮｏｄｅＢ１０６は、ＢＳ／ＥＮｏｄｅＢ１０６と移動局／ユーザ装置１０２との間のデータのダウンリンク通信を、周波数選択スケジューラ（ＦＳＳ）１２４を介してスケジュールする。さらに周波数選択スケジューリング１２４は、ワイヤレスデバイス移動局／ユーザ装置１０２および移動局／ユーザ装置１０４に対応した、アップリンクおよびダウンリンク両方のＴＣＰデータ伝送をスケジュールする。
【００１７】
次に図２を参照すると、ユーザ装置（ＵＥ）とｅＮＢとの通信のためのＬＴＥ通信アーキテクチャのブロック図表示が描かれている。図示されるように、通信アーキテクチャ１００は、ユーザ装置１０２とｅＮｏｄｅＢ１０６とを含む。ユーザ装置１０２は、パケットデータ収束プロトコル（ＰＤＣＰ）Ａ２２３と、無線リンクコントロール（ＲＬＣ）Ａ２２４と、ミディアムアクセスコントロール（ＭＡＣ）Ａ２２５と、物理層（ＰＨＹ）Ａ２２６とを含む。ユーザ装置１０２は、ｅＮｏｄｅＢ１０６に通信している。ｅＮｏｄｅＢ１０６内には、スケジューリング補正（ＳＣ）ユーティリティ１２０と、パケットデータ収束プロトコル（ＰＤＣＰ）Ｂ２３３と、無線リンクコントロール（ＲＬＣ）Ｂ２３４と、ミディアムアクセスコントロール（ＭＡＣ）Ｂ２３５と、物理層（ＰＨＹ）Ｂ２３６とが含まれる。さらに通信システム／アーキテクチャ１００は、ネットワーク２６０と、サーバ２８０とを含む。
【００１８】
１実施形態において、ｅＮｏｄｅＢ１０６は、ユーザ装置１０２から、データおよび／または情報を送信および受信する。ユーザ装置１０２のＰＤＣＰ  Ａ２２３、ＲＬＣ  Ａ２２４、ＭＡＣ  Ａ２２５、およびＰＨＹ  Ａ２２６は、ユーザ装置１０２が、それぞれの接続／層を介して、ＰＤＣＰ  Ｂ２３３、ＲＬＣ  Ｂ２３４、ＭＡＣ  Ｂ２３５、およびＰＨＹ  Ｂ２３６を同様に含むｅＮｏｄｅＢ１０６と、（たとえば、構成データを）通信するのを可能にする。ネットワーク２６０もまた、ユーザ装置１０２およびｅＮｏｄｅＢ１０６からデータを受信し、ユーザ装置１０２およびｅＮｏｄｅＢ１０６にデータを送信する。ネットワーク２６０は、サーバ２８０を介して、１または複数のコンポーネント（図示せず）から、データ／情報を送信および受信することができる。サーバ２８０は、サーバを配置するソフトウェアを表し、ネットワーク２６０を介してｅＮｏｄｅＢ１０６に通信する。ＳＣユーティリティ１２０は、サーバ２８０を介して、ネットワークから／ネットワーク上に配置されてもよい。この構成を用いて、サーバを配置するソフトウェアは、ＳＣユーティリティ１２０の実行に関連付けられた１または複数の機能を実行する。
【００１９】
当業者は、図１および図２に描かれたハードウェアコンポーネントおよび基本的な構成が、異なってもよいことを理解するであろう。ワイヤレス通信システム／アーキテクチャ１００内の、およびＢＳ／ｅＮｏｄｅＢ１０６内の例示的なコンポーネントは、包括的であるようには意図されず、むしろ、本発明を実装するのに利用される重要なコンポーネントを強調するための典型である。たとえば他のデバイス／コンポーネントは、描かれたハードウェアに加えて、またはその代わりに使用されてもよい。描かれた例は、現在説明される実施形態および／または全体的な発明に関するアーキテクチャ上の限定、または他の限定を含意することを意図しない。
【００２０】
ＳＣユーティリティ１２０によってサポートされる、および／または提供される特定の機能は、プロセッサ１１０および／または他のデバイスハードウェアによって実行される処理コードとして実装されて、それらの機能を完成させる。ＳＣユーティリティ１２０によって提供され、本発明に固有であるソフトウェアコード／命令／論理の中には、（ａ）１または複数のワイヤレスデバイスから、周期的なサブバンドおよび広帯域のチャネル品質インジケータ（ＣＱＩ）報告を受信するための論理、（ｂ）報告サブフレームに従って、サブバンドＣＱＩ報告の期限を計算するための論理、（ｃ）報告の期限が、あらかじめ構成された／あらかじめ設定された閾値期限を超えるか否か判定する論理、および（ｄ）報告の期限が閾値期限を超えるときに、（最新の）伝送スケジューリングのために広帯域ＣＱＩ値／報告を利用するための論理、（ｅ）報告の期限が閾値期限を超えないときに、（ｉ）報告が最新の（すなわち、最近の）報告サブフレームを介して受信された場合に、サブバンドＣＱＩ報告を利用する、または（ｉｉ）サブバンドＣＱＩ報告が最新の報告サブフレームを介して受信されていない場合に、広帯域ＣＱＩ報告を利用したフィルタ補正による修正サブバンドＣＱＩ値を利用するための論理、がある。例示的な実施形態によれば、プロセッサ１１０がＳＣユーティリティ１２０を実行するとき、ＢＳ／ｅＮｏｄｅＢ１０６は、上記の機能的特徴、ならびに追加的な特徴／機能性を有効にする一連の機能的処理を開始する。これらの特徴／機能性を、（図１〜図２の説明に続けて、および）図３〜図６の説明内において、以下でさらに詳細に説明する。
【００２１】
ワイヤレス通信システム１００（またはＢＳ／ｅＮｏｄｅＢ１０６）では、ＳＣユーティリティ１２０は、１または複数の移動デバイスから、サブバンドＣＱＩ報告を周期的に受信する。ＬＴＥシステムは、広帯域（すなわち、システム帯域幅以上）、およびサブバンド（システム帯域幅よりも狭い）両方のＣＱＩのためのいくつかの報告オプションを可能にし、後者は周波数選択フェージングの活用を可能にする。ＬＴＥ標準に従って、物理アップリンク制御チャネルは、ｅＮｏｄｅＢに向かうアップリンク伝送を介して制御情報を搬送する。サブバンドＣＱＩ報告の受信に応答して、ＳＣユーティリティ１２０は、それぞれのサブバンドＣＱＩ報告についてのサブフレーム報告周期を記録する。より低い頻度のインターバル／周期で、ＳＣユーティリティ１２０はまた、ワイヤレスデバイスから、広帯域ＣＱＩ報告を受信する。１または複数のワイヤレス／「移動」デバイス１０２、１０４へのダウンリンク伝送を開始するために、ＳＣユーティリティ１２０は、サブバンドＣＱＩ報告と広帯域ＣＱＩ報告のうちの１つが、最新のダウンリンク伝送をスケジュールするために最良のスループットパフォーマンスを提供するかを、動的に判定するための工程を開始する。ＳＣユーティリティ１２０は、１または複数の移動デバイスに対応したＣＱＩ報告を取り出す。さらにＳＣ１２０は、対応するサブフレーム報告周期を取り出し、関連するサブフレーム報告周期と、最新のサブフレームの報告周期との間の経過時間に基づき、報告の最新の期限を生成する。
【００２２】
ＳＣユーティリティ１２０は、最新の期限を閾値期限と比較して、対応する報告がなお有用であり、まだ期限が切れていないか否か判定する。ＳＣユーティリティ１２０が、最新の期限が閾値期限を超えると判定した場合、ＳＣユーティリティ１２０は、最良のスループットを達成するように伝送をスケジュールするために、広帯域ＣＱＩ報告を代わりに取り出し、利用する。しかしながらＳＣユーティリティ１２０が、サブバンド報告はなお有効であると判定すると、ＳＣユーティリティ１２０は、報告が最新の報告サブフレームで受信された場合には、最新の伝送スケジューリングのために、サブバンドＣＱＩ報告を利用し、あるいは、サブバンドＣＱＩ報告が最新の報告サブフレーム（すなわち、報告サブフレームが最新の伝送スケジューリング周期よりも前に起こり、その（最後に提供された）サブバンドＣＱＩ値が最新のダウンリンク伝送スケジューリングに適用される、サブバンドＣＱＩ値を最後に提供した報告サブフレーム）で受信される場合には、広帯域ＣＱＩ報告値および以前のサブバンドＣＱＩ値を利用した無限インパルス応答フィルタを介して、修正／計算／補正されたサブバンドＣＱＩ報告を利用する。
【００２３】
図３Ａは、本発明の１実施形態による、単一の無線フレームの構造を図示する。無線フレーム３００は、時間ドメイン内の通信リソースの編成を図示する。ＬＴＥ伝送は、無線フレーム、たとえば無線フレーム３００の中に編成される。無線フレーム３００は、そのそれぞれが０．５ｍｓの時間の長さを有するスロット（たとえば、スロット３０２）に分割される。１つのサブフレーム（たとえば、サブフレーム３０４）は、２つに等しいサイズのタイムスロットからなり、１ｍｓ秒の長さを有する。１つの無線フレーム（たとえば、無線フレーム３００）は、１０のサブフレームからなり、したがって、１０ｍｓ（すなわち、１０×２×０．５ｍｓ）に及ぶ。アップリンクまたはダウンリンクのための最小の時間リソース割当は、１タイムスロットである。
【００２４】
図３Ｂは、１実施形態による、ＬＴＥのための物理層のリソース構造を図示する。リソースグリッド３１０は、サブバンド（すなわち、４つの物理リソースブロック（ＰＲＢ）からなるサブバンド）のセグメントを図示する。リソースグリッド３１０の図示したサブバンドセグメント内において、物理リソースブロック３１４は、とりわけ強調された例の物理リソースブロックである。物理リソースブロック３１４は、複数の要素ブロックから構成されており、リソース要素３１８はその例である。サブキャリアグループ３１２は、１２（１２）のサブキャリアからなり、物理リソースブロック３１４のためのサブキャリア割当を表す。リソースグリッド３１０には、時間周波数軸３１６もまた図示されている。ＬＴＥ物理リソースを、周波数時間グリッド（たとえば、リソースグリッド３１０）によって表すことができ、そこでは、単一のリソース要素（たとえば、リソース要素３１８）が、１５ＫＨｚのキャリア間隔を有する１つの直交周波数分割多重方式（ＯＦＤＭ）シンボルインターバルの間で、１つのＯＦＤＭサブキャリアに相当する。
【００２５】
完全なサブバンド（リソースグリッド３１０には明示的には示されていない）は、５ＭＨｚのＬＴＥシステムの周波数軸に沿って垂直に積み重ねられた、４つの物理リソースブロック（たとえば、物理リソースブロック３１４を含む）からなる。したがって、完全なサブバンドは、４８のサブキャリア（すなわち、１つの物理リソースブロックにつき１２サブキャリア）からなる。１実施形態では、サブバンドは、軸３１６のインデックス付けに従って、隣接し、連続する物理リソースブロックのブロックを含むことができる。さらに、１対のワイヤレスデバイスが、同じサブバンドにおいて異なる物理リソースブロックを割当てられてもよい。
【００２６】
アップリンクおよびダウンリンクの両方で割当てられてもよい最小サイズの無線リソースブロックが物理リソースブロックと呼ばれ、１つのタイムスロット（０．５ｍｓ）において、たとえばスロット３０２において伝送される１２のサブキャリアを含む。したがって最小の許容可能なスペクトルは、１８０ＫＨｚである。ＬＴＥダウンリンク伝送のための通常のサイクリックプレフィックス（ＣＰ）モードでは、７つのＯＦＤＭシンボルが、単一のタイムスロットにおいて伝送される。
【００２７】
図４は、１実施形態による、物理アップリンク制御チャネルサブバンドベースの周期的ＣＱＩ報告を示すテーブルである。テーブル４００は、４つの行および７つの列のテーブルである。第１の行４０２は、一連の報告サブフレームごとに報告されたサブバンドＣＱＩ値に対応したサブバンドを（それぞれの列内で）特定する。第２の行４０４は、報告されたサブバンドＣＱＩ値に対応した帯域幅部分を特定する。第３の行４０６は、報告されたサブバンドＣＱＩ値が対応する報告インターバル「Ｎｐ」に従って、報告サブフレームを特定する。第４の行４０８は、それぞれの対応する報告サブフレームにおいて、報告されていないサブバンドを列記する。
【００２８】
列は、それぞれのサブフレームに従って、上で説明した行について特定されたエントリを分類する。たとえば第１の列４１０は、第１のサブフレームに対応したそれぞれのエントリを提供し、そのサブフレームは、開始時／最初の時間インターバルの「０」でインデックスされている。第２の列４１２は、時間インターバル「Ｎｐ」でインデックスされる第２のサブフレームに対応したエントリを特定する。第３の列４１４、第４の列４１６、第５の列４１８、および第６の列４２０は、同様にテーブル４００内において図示されている。
【００２９】
物理アップリンク制御チャネルサブバンド報告において、ｅｎｏｄｅＢ１０６は、周期的なＣＱＩ報告をｅＮｏｄｅＢ１０６に送信させるようにユーザ装置１０２を構成する。１実施形態において、ｅｎｏｄｅＢ１０６は、１または複数のワイヤレスデバイスが、（ａ）サブバンド報告を提供するための指定された報告周期における、対応する帯域幅部分内のサブバンドのための最良のサブバンドＣＱＩ値、および（ｂ）広帯域ＣＱＩ報告を提供するための指定された報告周期における、ダウンリンク伝送帯域幅のための広帯域ＣＱＩ値、を報告するのを可能にする、１または複数のワイヤレスデバイスを構成するように、情報信号を転送する。
【００３０】
続いて、ｅｎｏｄｅＢ１０６は、（ａ）第１の報告周期の間に、最良のサブバンドＣＱＩ値を含むサブバンドＣＱＩ報告を、および（ｂ）第２の報告周期の間に、広帯域ＣＱＩ値を含む広帯域ＣＱＩ報告を、受信する。たとえばユーザ装置は、報告周期Ｎｐに従って、ＣＱＩ報告を送信する。とりわけユーザ装置は、広帯域ＣＱＩ報告がその後に続く、一連のサブバンドＣＱＩ報告を提供する。すべてのＣＱＩ報告サブフレームにおいて、ユーザ装置は、ＣＱＩ報告が行われることになっている帯域幅部分内で最良のサブバンドの、ＣＱＩ値および対応するサブバンドインデックスを計算し、報告する。サブバンドＣＱＩ報告において、サブバンドの総数「Ｎ」は、帯域幅部分と呼ばれるＪ個の部分で割られる。Ｊの値は、システム帯域幅に依存する。したがってＪが帯域幅部分の数を表し、Ｋが報告されるＪ個の帯域幅部分ごとのＣＱＩ報告の数についてあらかじめ構成された値を表す場合、広帯域ＣＱＩ報告の周期は、（Ｊ×Ｋ÷１）×Ｎｐである。１実施形態において、広帯域報告は、受信した基準信号の周波数帯域にまたがる平均ＣＱＩ値に基づく。
【００３１】
テーブル４００は、第１の報告サブフレーム内で、第１の広帯域ＣＱＩ値／報告「ＷＢ」が提供されること（すなわち、第２の行４０４および第１の列４１０のエントリ）を示す。第２の列４１２に従って、サブバンドＣＱＩ値「ＳＢ０」は、第２の報告サブフレーム内（すなわち、サブフレームインデックス「Ｎｐ」）で報告される。対応する帯域幅部分は、「ＢＰ０」として特定される。１つのサブバンドのみが報告されているので、テーブル４００は、他の３つのサブバンド（すなわち、サブバンド１（「ＳＢ１」）、サブバンド２（「ＳＢ２」）、およびサブバンド３（「ＳＢ３」））が、第２の報告サブフレームの間に報告されていないことを示す。６番目の列４２０で示されるように、第２の広帯域ＣＱＩ値／報告「ＷＢ」が、６番目の報告サブフレーム（すなわち、インターバル５Ｎｐ）で提供される。
【００３２】
図３Ｂで説明したように、サブバンドは、特定の数の物理リソースブロックからなる。さらに物理リソースブロックは、最後のサブバンドを除いた、サブバンドの合計セットを分割する。物理リソースブロックからなるこれらのサブバンドはそれぞれ、固定サイズを有する。ＣＱＩ報告は、サブバンド粒度においてのみ提供されるので、サブバンド内にある物理リソースブロックのＣＱＩ値は、同じであって、サブバンドＣＱＩ値のそれに等しいことが仮定される。広帯域スケジューラにおいて、ダウンリンク帯域幅内のすべてのサブバンド／物理リソースブロックのＣＱＩ値は、広帯域ＣＱＩ値／報告を評価／判定するために使用される。１実施形態において、ユーザ装置は、受信された基準信号の周波数帯域にまたがる平均サブバンドＣＱＩ値に基づき、広帯域ＣＱＩ報告を提供する。
【００３３】
テーブル４００は、５ＭＨｚのダウンリンク伝送帯域幅を有するＬＴＥシステムのための物理アップリンク制御チャネル（ＰＵＣＣＨ）サブバンド報告を詳細に図示する。ダウンリンク伝送帯域幅は、２つの帯域幅部分（すなわち、ＢＰ０およびＢＰ１）の間で分配される。第１の帯域幅部分「ＢＰ０」は、４つのサブバンドからなり、第２の帯域幅部分「ＢＰ１」は、３つのサブバンドからなる。したがって、合計ダウンリンク伝送帯域幅は、７つのサブバンドの間で分割される。各サブバンドは、４つのＰＲＢＳ（すなわち、サブバンドサイズ４）からなる。
【００３４】
さらなる例（テーブル４００を介して明示的には示されていない）として、ＬＴＥシステムは、１０ＭＨｚのダウンリンク伝送帯域幅で構成されてもよい。この構成では、ダウンリンク伝送帯域幅は、３つの帯域幅部分に分割される。各帯域幅部分は、そのそれぞれが６物理リソースブロック（すなわち、サブバンドサイズ６）からなる、３つのサブバンドからなる。したがって合計で９つのサブバンドがあり、それぞれのサブバンドが６つの物理リソースブロックからなる。ＬＴＥに従って、１０ＭＨｚのダウンリンク帯域幅を有するこの構成は、合計５４の物理リソースブロックからなる合計９つのサブバンドを提供する。
【００３５】
テーブル４００では、サブバンド２、３、４、６についてのサブバンドＣＱＩ値は、５×Ｎｐの期間／インターバル内で報告されていない。さらに、これらのサブバンドが次の５×Ｎｐインターバルにおいて報告されるという保証はない。最良のサブバンドのＣＱＩ値が報告されるＣＱＩ報告メカニズムの結果として、各サブバンドは、それぞれの報告サブフレームではサブバンドＣＱＩ報告を報告しない。さらに１または複数のサブバンドについてのサブバンドＣＱＩ報告は、いくつかの連続する報告サブフレームでは報告されないことがある。したがって、スケジューラにおいて記憶されているサブバンドＣＱＩ値が、「古い」／「時間の経った」値である可能性がある。
【００３６】
結果として、ＳＣユーティリティ１２０は、サブバンド報告の期限を計算するために、それぞれのサブバンドＣＱＩ報告についてのサブフレーム報告周期を利用する。ＳＣユーティリティ１２０は、サブバンドＣＱＩ報告がまだ有効であるか否か（すなわち、報告期限が閾値期限を超えるかどうか）判定する。サブバンド報告が無効である場合、ＳＣユーティリティ１２０は、（最新の）伝送スケジューリングのために、サブバンドＣＱＩ値の代わりに、広帯域ＣＱＩ報告／値「ｗｉｄｅｂａｎｄ＿ｃｑｉ（ｉ）」を利用する。しかしながらサブバンド報告が有効である場合、ＳＣユーティリティ１２０は、（ａ）報告が最近の報告サブフレームで受信されたときに、伝送スケジューリングのためにサブバンドＣＱＩ報告を利用し、または（ｂ）報告が最新の報告サブフレームで受信されなかった場合には、広帯域ＣＱＩ報告を利用した補正による修正サブバンドＣＱＩ値を利用する。ＳＣユーティリティ１２０は、無限インパルス応答（ＩＩＲ）フィルタによるフィルタベースの補正を行い、無限インパルス応答（ＩＩＲ）フィルタは、第１の項と第２の項とを有し、第１の項は、特定のサブバンドＣＱＩ値と第１の係数との第１の積であり、第２の項は、最後に報告された広帯域ＣＱＩ値と第２の係数との第２の積である。特定のサブバンドＣＱＩ値は、（ａ）期限切れ前かつ以前に報告されたサブバンドＣＱＩ値、および（ｂ）フィルタベースの補正を利用して計算された計算サブバンドＣＱＩ値、のうちの１つである。特に、補正による修正サブバンドＣＱＩ値は、無限インパルス応答（ＩＩＲ）フィルタを介して取得され、以下のように表される。
ｃｎ（ｉ，ｊ）＝（１−ａ）×ｃｎ−１（ｉ，ｊ）＋ａ×ｗｉｄｅｂａｎｄ＿ｃｑｉ（ｉ）
ここで、「ａ」は、フィルタパラメータ／係数を表し、「ｎ」は、報告時間インデックスを表す。
【００３７】
１実施形態において、周波数選択スケジューリング１２４は、比例スケジューラである。しかしながら別の実施形態においては、周波数選択スケジューリング１２４は、別の（すなわち任意の他の）タイプのスケジューラを表し、他のタイプのスケジューラは、比例スケジューラとは異なるタイプのスケジューラである。比例スケジューラを使用するとき、適切な／該当するＣＱＩ値のタイプの決定に応答して、ＳＣユーティリティ１２０／周波数選択スケジューリング１２４は、以下の式を介して、ユーザ装置−物理リソースブロックペアごとに、ＣＱＩベースのメトリック「ｍ」を計算する。
ｍ（ｉ，ｊ）＝ｃ（ｉ，ｊ）／Ｒａｖ（ｉ）
ここで、ｃ（ｉ，ｊ）は、ＰＲＢｊ（ｊ番目の物理リソースブロック）のＵＥｉ（ｉ番目のユーザ装置）について、（ａ）ＰＲＢｊのＵＥｉによって報告されたＣＱＩ、（ｂ）広帯域ＣＱＩ値、および（ｃ）無限インパルス応答フィルタ補正に基づく修正サブバンドＣＱＩ値、のうちの１つを介して取得される。Ｒａｖ（ｉ）は、ＵＥｉによって達成される平均スループットである。しかしながら、ＣＱＩ報告は、サブバンド粒度においてのみ提供されるので、サブバンド内にある物理リソースブロックのＣＱＩ値は、同じであって、サブバンドＣＱＩ値のそれに等しいことが仮定される。
【００３８】
周波数選択スケジューリング１２４は、ｍ（ｉｓｅｌｅｃｔ，ｊｓｅｌｅｃｔ）によって表される対応するＣＱＩベースのメトリックが、任意の他の候補ＣＱＩベースのメトリック「ｍ（ｉ，ｊ）」よりも大きい、（ｉｓｅｌｅｃｔ，ｊｓｅｌｅｃｔ）によって表される、ユーザ装置−物理リソースブロックペアを見つける。したがって、最良のユーザ装置−物理リソースブロックペアの選択は、以下の式と一致する。
（ｉｓｅｌｅｃｔ，ｊｓｅｌｅｃｔ）｜ｍ（ｉｓｅｌｅｃｔ，Ｊｓｅｌｅｃｔ）＞ｍ（ｉ，ｊ）Ｖｉ，ｊ
ここで、「｜」は、「条件が与えられた場合」を表し、Ｖｉ，ｊは、対象となるすべてのユーザ装置−物理リソースブロックペアを表す。選択されたＰＲＢｊｓｅｌｅｃｔは、最新のサブフレームにおける割当には不適と判定され、選択されたＵＥｉｓｅｌｅｃｔは、ユーザ装置が送信するためのデータを有することを条件に、最新のサブフレームにおけるさらなる割当にも不適とは判定されない。スケジューラ１２４は、すべての物理リソースブロックが割当てられるまで、またはすべてのユーザ装置が規定されたリソース割当を受信するまで、最良のユーザ装置−物理リソースブロックペアを見つける／割当てる。
【００３９】
図５は、１実施形態による、サブバンドのＳＮＲ修正の効果を比較して実証する３つのプロットを示す。プロット５００は、サブバンドのＳＮＲ補正を利用しない周波数選択スケジューラ（ＦＳＳ）のユーザスループット累積分布関数（ＣＤＦ）を示す第１のプロット５０２を含む。プロット５００はまた、広帯域スケジューラとして動作する周波数選択スケジューラ（ＦＳＳ）のユーザスループット累積分布関数を示す第２のプロット５０４を含む。さらにプロット５００は、サブバンドのＳＮＲ補正を利用した周波数選択スケジューラ（ＦＳＳ）のユーザスループット累積分布関数を示す第３のプロット５０６を含む。
【００４０】
プロット５００は、ＬＴＥ  Ｏｐｎｅｔシステムシミュレータの結果を表す。シミュレーションは、１０ＭＨｚのダウンリンクシステム帯域幅で構成されている。ＬＴＥシミュレートされたシステムは、フルバッファトラフィック用に構成されている。システムは、３ｋｍｐｈの平均スピードでまとまって動く１０の移動体／ユーザ装置を含む。ＣＱＩ報告の周波数は、５ｍｓ用に構成されている。第１のプロット５０２によれば、ワイヤレス通信システム１００は、サブバンドのＳＮＲ修正／補正を利用しない周波数選択スケジューリングでは、１．０８Ｍｂｐｓの平均ユーザ装置スループットを達成する。第３のプロット５０６によれば、ワイヤレス通信システム１００は、サブバンドのＳＮＲ修正／補正を利用した周波数選択スケジューリングでは、１．２６Ｍｂｐｓの平均ユーザ装置スループットを達成する。サブバンドのＳＮＲ修正／補正を利用することによって、ワイヤレス通信システム１００は、平均ユーザ装置スループットで１６％の向上を達成する。さらに、セクタスループットは、１１Ｍｂｐｓから１２．６Ｍｂｐｓに向上する（すなわち、スループットで１４．５％の向上）。
【００４１】
図６は、１実施形態による、周波数選択スケジューラにおいてサブバンドの信号対雑音比（ＳＮＲ）補正を実行する工程を示す流れ図である。図６に図示した方法は、図１に示したコンポーネントを参照して説明することができるが、これは単に便宜のためであり、方法を実装するときには、代替的なコンポーネントおよび／またはその構成を利用することができることを理解されたい。ＢＳ／ｅＮｏｄｅＢ１０６（図１）内で実行し、ＢＳ／ｅＮｏｄｅＢ１０６の／ＢＳ／ｅＮｏｄｅＢ１０６上の特定の動作を制御するスケジューリング補正（ＳＣ）ユーティリティ１２０によって、方法の重要な部分を完了することができ、したがって方法は、ＳＣユーティリティ１２０およびＢＳ／ｅＮｏｄｅＢ１０６のいずれか／両方の観点から説明される。
【００４２】
方法は、開始ブロック６０２で始まり、ＳＣユーティリティ１２０が１または複数のワイヤレスデバイスから周期的なサブバンドＣＱＩ報告を受信する、ブロック６０４へと進む。ブロック６０６に示すように、ＳＣユーティリティ１２０は、それぞれのサブバンドＣＱＩ報告についてのサブフレーム報告周期を記録する。ブロック６０８で、ＳＣユーティリティ１２０は、それぞれのワイヤレスデバイスから周期的な広帯域ＣＱＩ報告を取得する。ブロック６１０で、ＳＣユーティリティ１２０は、１または複数のワイヤレスデバイスへのダウンリンク伝送のためのスケジューリング工程を開始する。ブロック６１２に示すように、ＳＣユーティリティ１２０は、サブバンドＣＱＩ報告についてのサブフレーム報告周期および最新の報告サブフレームの周期に基づき、サブバンド報告の最新の期限を生成する。ブロック６１４で、ＳＣユーティリティ１２０は、サブバンドＣＱＩ報告の最新の期限を閾値期限と比較することによって、サブバンドＣＱＩ報告の有効性を判定する。
【００４３】
判定ブロック６１６に示すように、ＳＣユーティリティ１２０は、サブバンドＣＱＩ報告がなお有効であるか否か判定する。判定ブロック６１６で、ＳＣユーティリティ１２０が、サブバンドＣＱＩ報告はもはや有効ではない（すなわち、サブバンドＣＱＩ値／報告が古すぎる）と判定すると、ＳＣユーティリティ１２０は、ブロック６１８に示すように、周波数選択スケジューリング１２４において広帯域ＣＱＩ報告を利用することによって、リソース割当／スケジューリング決定を行う。判定ブロック６１６で、ＳＣユーティリティ１２０が、サブバンド報告はなお有効であると判定すると、判定ブロック６２０に示すように、ＳＣユーティリティ１２０は、サブバンドＣＱＩ報告が最新の報告サブフレームで受信されたか否か判定する。ブロック６２０で、ＳＣユーティリティ１２０が、サブバンドＣＱＩ報告が最新の報告サブフレームで受信されたと判定すると、工程は、ＳＣユーティリティ１２０が周波数選択スケジューリング１２４においてサブバンドＣＱＩ報告を利用することによって、リソース割当／スケジューリング決定を行う、ブロック６２２へと進む。ブロック６２０で、ＳＣユーティリティ１２０が、サブバンド報告が最新の報告サブフレームで受信されていないと判定すると、工程は、ＳＣユーティリティ１２０が広帯域ＣＱＩ報告値を含む無限インパルス応答フィルタベースの補正によってサブバンドＣＱＩ報告値を修正する、ブロック６２４へと進む。ブロック６２６で、ＳＣユーティリティ１２０は、周波数選択スケジューリング１２４において修正サブバンドＣＱＩ報告を利用することによって、リソース割当／スケジューリング決定を行う。ブロック６２８で、ＳＣユーティリティ１２０／周波数選択スケジューリング１２４は、適切なＣＱＩベースのメトリックを生成する。１実施形態では、適切な／該当するＣＱＩ値のタイプの決定に従って、ＳＣユーティリティ１２０／周波数選択スケジューリング１２４は、ユーザ装置−物理リソースブロックペアごとにＣＱＩベースのメトリック「ｍ」を計算する。
【００４４】
ブロック６３０に示すように、ＳＣユーティリティ１２０／周波数選択スケジューリング１２４は、適切なＣＱＩベースのメトリックに基づき、リソースをスケジュールする。１実施形態において、周波数選択スケジューリング１２４は、対応するＣＱＩベースのメトリックが任意の他の候補ＣＱＩベースのメトリックよりも大きい、ユーザ装置−物理リソースブロックペアを見つける。スケジューラ１２４は、すべての物理リソースブロックが割当てられるまで、または規定されたリソース割当をすべてのユーザ装置が受信するまで、最良のユーザ装置−物理リソースブロックペアを見つける／割当てる。古いサブバンドＣＱＩ値の代わりにサブバンドＣＱＩ値補正を利用することによって、ＳＣユーティリティ１２０は、ワイヤレスデバイスのスループットを大幅に向上させる。工程は、ブロック６３２で終了する。
【００４５】
上記の流れ図では、本発明の趣旨および範囲から逸脱せずに、方法の特定の工程が、組合され、同時に、または異なる順序で実行され、あるいは場合によっては省略される。したがって、方法の工程は特定のシーケンスで説明され、図示されているものの、工程の特定のシーケンスの使用は、本発明のいかなる限定をも含意することを意図しない。工程のシーケンスについての変更は、本発明の趣旨または範囲から逸脱せずに行われてよい。したがって特定のシーケンスの使用が限定の意味に解釈されることはなく、本発明の範囲は、添付の特許請求の範囲およびその均等物に適用される。
【００４６】
図示され説明された実施形態は、基地局において、通信リソースのスケジューリングにおけるサブバンドの信号対雑音比（ＳＮＲ）補正を実現する、メカニズムおよびシステムを提供する。スケジューリング補正（ＳＣ）ユーティリティは、１または複数のワイヤレスデバイスから、周期的なサブバンドおよび広帯域のチャネル品質インジケータ（ＣＱＩ）報告を受信する。ＳＣユーティリティは、それぞれのサブバンドＣＱＩ報告についてのサブフレーム報告周期を記録する。ＳＣユーティリティは、サブバンドＣＱＩ報告の期限を計算することによって、サブバンドＣＱＩ報告がまだ有効であるか否か（すなわち、報告期限が閾値期限を超えるかどうか）判定する。サブバンドＣＱＩ報告が無効である場合、ＳＣユーティリティは、（最新の）伝送スケジューリングのために、広帯域ＣＱＩ報告を利用する。しかしながらサブバンドＣＱＩ報告が有効である場合、ＳＣユーティリティは、（ａ）最新の報告サブフレームから、伝送スケジューリングのためにサブバンドＣＱＩ報告を利用し、または（ｂ）サブバンドＣＱＩ報告が最新の報告サブフレームで受信されなかった場合は、広帯域ＣＱＩ報告を利用した補正による修正サブバンドＣＱＩ値を利用する。
【００４７】
説明した実施形態に従って、ワイヤレス通信システムにおいて、ＳＣユーティリティ１２０／周波数選択スケジューリング１２４は、ワイヤレスデバイスに通信リソースを割当てるための方法および基地局を提供する。特にＳＣユーティリティ１２０は、以下のための方法／機能性を提供する。１または複数のワイヤレスデバイスから、周期的なサブバンドチャネル品質インジケータ（ＣＱＩ）報告および広帯域ＣＱＩ報告を受信すること；それぞれのサブバンドＣＱＩ報告についてのサブフレーム報告周期を記録すること；１または複数のワイヤレスデバイスへのダウンリンク伝送を開始すること；記録されたサブフレーム報告周期と最新のサブフレーム周期との間の経過時間に基づき、サブバンド報告の最新の期限を生成すること；対応する報告が有効であるか否か判定するために、最新の期限を閾値期限と比較すること；最新の期限が閾値期限を超えないという判定に応答して、（ａ）最新の報告サブフレームからのサブバンドＣＱＩ値、および（ｂ）以前のＣＱＩ値および広帯域ＣＱＩ値に基づいた計算されたサブバンドＣＱＩ値、のうちの１つを使用することによって、ダウンリンク伝送をスケジュールすること；最新の期限が閾値期限を超えるという判定に応答して、最新のダウンリンク伝送スケジューリングのために、広帯域ＣＱＩ報告を利用すること、である。
【００４８】
ダウンリンク伝送をスケジュールするための方法／機能性を完了するために、ＳＣユーティリティ１２０は、サブバンドＣＱＩ報告が最新のＣＱＩ報告サブフレームの間に報告されたか否か判定する。サブバンドＣＱＩ値が最近のＣＱＩ報告サブフレームの間に報告されたという判定に応答して、ＳＣユーティリティ１２０は、最新の伝送スケジューリングのために、サブバンドＣＱＩ値を利用する。サブバンドＣＱＩ値が最新のＣＱＩ報告サブフレームの間に報告されていないという判定に応答して、ＳＣユーティリティ１２０は、以下のための方法／機能性を提供する。フィルタベースの補正を介して、以前のＣＱＩ値および広帯域ＣＱＩ値に基づいたサブバンドＣＱＩ値を計算すること；最新の伝送スケジューリングのために、計算されたサブバンドＣＱＩ値を利用すること、である。
【００４９】
さらにＳＣユーティリティ１２０は、以下のための方法／機能性を提供する。それぞれのワイヤレスデバイスによって達成される平均スループットを求めること；以下のペアの割当のうちの１または複数について、サブバンドＣＱＩ値と平均スループットとの比から、ＣＱＩベースのメトリックを取得することであって、以下のペアは、（ａ）特定のワイヤレスデバイスと特定の物理リソースブロック（ＰＲＢ）、および（ｂ）特定のワイヤレスデバイスと特定のサブバンドであること；ＣＱＩベースのメトリックに基づき、可能性のあるペアの割当の中から最良のペアの割当を特定すること、である。
【００５０】
さらに理解されるように、本発明の実施形態における工程を、ソフトウェア、ファームウェア、またはハードウェアの任意の組合せを使用して実装することができる。ソフトウェアにおける本発明の実施の準備段階として、（ソフトウェアまたはファームウェアのいずれであれ）プログラミングコードは、固定（ハード）ドライブ、ディスケット、光学ディスク、磁気テープ、ＲＯＭ、ＰＲＯＭなどの半導体メモリ、その他などの１または複数のマシン可読記憶媒体に通常記憶されることになり、それによって、本発明に従って、製造物品（またはコンピュータプログラム製品）を作成する。プログラミングコードを含んだ製造物品は、記憶デバイスからコードを直接実行することによって、記憶デバイスから、ハードディスク、ＲＡＭ、その他などの別の記憶デバイスの中にコードをコピーすることによって、またはデジタルおよびアナログ通信リンクなどの伝送タイプの媒体を使用して遠隔実行用にコードを伝送することによって、使用される。本発明によるコードを含む１または複数のマシン可読記憶デバイスを、その中に含まれるコードを実行するための適切な処理ハードウェアと組合せることによって、本発明の方法を実施することができる。本発明を実施するための装置は、本発明によりコード化されたプログラムへのネットワークアクセスを含む、または有する、１または複数の処理デバイスおよび記憶システムであってもよい。
【００５１】
したがって、本発明の例示的な実施形態は、インストールされた（または実行された）ソフトウェアで十分に機能する基地局のコンテキストにおいて説明されるものの、本発明の例示的な実施形態のソフトウェアの態様は、さまざまな形態におけるコンピュータプログラム製品として分散されることが可能であり、本発明の例示的な実施形態が、その分散を実際に実行するのに使用される特定のタイプの媒体にかかわらずに同様に適用されることを、当業者が理解するであろうことが重要である。排他的列挙ではない、例としての媒体のタイプには、フロッピー（登録商標）ディスク、サムドライブ、ハードディスクドライブ、ＣＤＲＯＭ、ＤＶＤなどの記録可能なタイプの（有形）媒体、ならびにデジタルおよびアナログ通信リンクなどの伝送タイプ媒体が含まれる。
【００５２】
本発明を例示的な実施形態を参照して説明してきたが、本発明の範囲から逸脱せずに、さまざまな変更がなされてもよく、均等物が本発明の要素に代用されてもよいことが、当業者により理解されるであろう。加えて、本発明の本質的な範囲から逸脱せずに、多くの修正が、特定のシステム、デバイス、またはそのコンポーネントを本発明の教示に適合するようになされてもよい。したがって、本発明は、本発明を実施するために開示された特定の実施形態に限定されず、本発明は、添付の特許請求の範囲に含まれるすべての実施形態を含むことになることが意図される。さらに、第１、第２、などの用語の使用は、いかなる順序または重要性も意味せず、むしろ第１、第２、などの用語は、１つの要素を別の要素と区別するために使用される。
【図１】
0005412650.tif 000002
【図２】
0005412650.tif 000003
【図３Ａ】
0005412650.tif 000004
【図４】
0005412650.tif 000005
【図６】
0005412650.tif 000006
【図３Ｂ】
0005412650.tif 000007
【図５】
0005412650.tif 000008